(57)【要約】【課題】携帯端末の高精度な位置検索を従来よりも簡単に行う。【解決手段】無線通信システムによる通信が可能な範囲に複数の地域を定義しておき、自ら発信した電波を検索対象の携帯端末に届けることができまたは検索対象の携帯端末が発信した電波を受信することができるベースステーションを検索し（丸数字３）、検索した各ベースステーションがいずれの地域に所属するかに基づいて検索対象の携帯端末が位置する地域を判別する（丸数字４〜６）。【選択図】図１１
2008078825.tif 000002
【特許請求の範囲】
【請求項１】
複数のベースステーションがそれぞれの所定の位置に設置されてなる無線通信システムにおける携帯端末の現在地を検索する携帯端末検索方法であって、
前記無線通信システムによる通信が可能な範囲に複数の地域を定義しておき、
自ら発信した電波を前記携帯端末に届けることができまたは前記携帯端末が発信した電波を受信することができる前記ベースステーションを検索し、
検索した前記各ベースステーションがいずれの前記地域に所属するかに基づいて前記携帯端末が位置する前記地域を判別する、
ことを特徴とする携帯端末検索方法。
【請求項２】
複数のベースステーションがそれぞれの所定の位置に設置されてなる無線通信システムにおける、指定された場所に現在位置する携帯端末を検索する携帯端末検索方法であって、
前記無線通信システムによる通信が可能な範囲に複数の地域を定義しておき、
指定された前記地域に位置するいずれかの前記ベースステーションが発信した電波を検知することができまたは自ら発信した電波をいずれかの当該ベースステーションに届けることができる携帯端末を検索し、
その検索結果に基づいて、指定された前記地域に位置する携帯端末を判別する、
ことを特徴とする携帯端末検索方法。
【請求項３】
複数のベースステーションがそれぞれの所定の位置に設置されてなる無線通信システムにおける第一の携帯端末の近くに位置する第二の携帯端末を検索する携帯端末検索方法であって、
自ら発信した電波を前記第一の携帯端末に届けることができまたは前記第一の携帯端末が発信した電波を受信することができる前記ベースステーションを検索し、
自ら発信した電波を、検索したいずれかの前記ベースステーションに届けることができまたはいずれかの当該ベースステーションが発信した電波を受信することができる携帯端末を検索し、
その検索結果に基づいて前記第二の携帯端末を判別する、
ことを特徴とする携帯端末検索方法。
【請求項４】
複数のベースステーションがそれぞれの所定の位置に設置されてなる無線通信システムで用いられる、携帯端末の現在地を検索する携帯端末検索システムであって、
前記無線通信システムによる通信が可能な範囲に設けられた複数の地域のうちのいずれに前記各ベースステーションが所属するのかを示すベースステーション所属データを記憶するベースステーション所属データ記憶手段と、
自ら発信した電波を前記携帯端末に届けることができまたは前記携帯端末が発信した電波を受信することができる前記ベースステーションを検索するベースステーション検索手段と、
前記ベースステーション検索手段によって検索された前記各ベースステーションがいずれの前記地域に所属するかに基づいて前記携帯端末が位置する前記地域を判別する携帯端末地域判別手段と、
を有することを特徴とする携帯端末検索システム。
【請求項５】
複数のベースステーションがそれぞれの所定の位置に設置されてなる無線通信システムで用いられる、指定された場所に現在位置する携帯端末を検索する携帯端末検索システムであって、
前記無線通信システムによる通信が可能な範囲に設けられた複数の地域のうちのいずれに前記各ベースステーションが所属するのかを示すベースステーション所属データを記憶するベースステーション所属データ記憶手段と、
指定された前記地域に位置するいずれかの前記ベースステーションが発信した電波を検知することができまたは自ら発信した電波をいずれかの当該ベースステーションに届けることができる携帯端末を検索する特定携帯端末検索手段と、
前記特定携帯端末検索手段による検索結果に基づいて、指定された前記地域に位置する携帯端末を判別する、携帯端末判別手段と、
を有することを特徴とする携帯端末検索システム。
【発明の詳細な説明】
【技術分野】
【０００１】
本発明は、携帯端末の位置の検索の方法およびシステムなどに関する。
【背景技術】
【０００２】
携帯電話端末またはＰＨＳ端末などの携帯端末の位置の検索を行うＧＰＳ（Global Positioning System）が既に実用化されている。無線ＬＡＮで使用する無線ＬＡＮ端末の位置の検索にも、既存のＧＰＳの原理を応用することができる。
【０００３】
携帯端末は、通常、一番近くに設置されているベースステーション（基地局）に接続し通信を行う。よって、自位置を測位する能力を持たない携帯端末であっても、その携帯端末が通信を行っているベースステーションを特定できれば、携帯端末の位置を検索することができる。ベースステーションがカバーする範囲（つまり、セル）が小さい場合は、かなりの高精度で検索することができる。
【０００４】
しかし、１つのベースステーションに接続または処理が集中すると、携帯端末は、そのベースステーションの負荷を分散するために、一部の携帯端末を自動的に別のベースステーションに接続させることがある。このようなことは、しばしば起こり得る。つまり、携帯端末が通信を行う相手が常に一番近いベースステーションであると限らない。よって、上記の携帯端末の位置の検索方法では、十分な精度が得られないことがある。
【０００５】
そこで、特許文献１に記載される方法を用いることが考えられる。係る方法によると、移動局は、各基地局からの受信レベルと受信位置の関係を記憶する受信レベルデータベースを有し、各基地局からの電波の受信レベルを該データベースと比較することにより当該移動局の位置を検出する。検出した位置は地図データベースの情報と共に表示部に表示する。
【特許文献１】特開平８−１０７５８３号公報
【発明の開示】
【発明が解決しようとする課題】
【０００６】
しかし、特許文献１に記載される方法では、電波の受信レベルを計測しなければならない。さらに、各基地局からの受信レベルと受信位置との関係を記憶する受信レベルデータベースが必要であるが、このような受信レベルデータベースを準備するためには、多くの実験を行わなければならず、膨大な労力が掛かってしまう。
【０００７】
本発明は、このような問題点に鑑み、携帯端末の高精度な位置検索を従来よりも簡単に行えるようにすることを目的とする。
【課題を解決するための手段】
【０００８】
本発明に係る携帯端末検索方法は、複数のベースステーションがそれぞれの所定の位置に設置されてなる無線通信システムにおける携帯端末の現在地を検索する携帯端末検索方法であって、前記無線通信システムによる通信が可能な範囲に複数の地域を定義しておき、自ら発信した電波を前記携帯端末に届けることができまたは前記携帯端末が発信した電波を受信することができる前記ベースステーションを検索し、検索した前記各ベースステーションがいずれの前記地域に所属するかに基づいて前記携帯端末が位置する前記地域を判別する、ことを特徴とする。
【０００９】
本発明に係る他の形態の携帯端末検索方法は、複数のベースステーションがそれぞれの所定の位置に設置されてなる無線通信システムにおける、指定された場所に現在位置する携帯端末を検索する携帯端末検索方法であって、前記無線通信システムによる通信が可能な範囲に複数の地域を定義しておき、指定された前記地域に位置するいずれかの前記ベースステーションが発信した電波を検知することができまたは自ら発信した電波をいずれかの当該ベースステーションに届けることができる携帯端末を検索し、その検索結果に基づいて、指定された前記地域に位置する携帯端末を判別する、ことを特徴とする。
【００１０】
本発明に係る他の形態の携帯端末検索方法は、複数のベースステーションがそれぞれの所定の位置に設置されてなる無線通信システムにおける第一の携帯端末の近くに位置する第二の携帯端末を検索する携帯端末検索方法であって、自ら発信した電波を前記第一の携帯端末に届けることができまたは前記第一の携帯端末が発信した電波を受信することができる前記ベースステーションを検索し、自ら発信した電波を、検索したいずれかの前記ベースステーションに届けることができまたはいずれかの当該ベースステーションが発信した電波を受信することができる携帯端末を検索し、その検索結果に基づいて前記第二の携帯端末を判別する、ことを特徴とする。
【発明の効果】
【００１１】
請求項１、４の発明によると、対象の携帯端末の高精度な位置検索を従来よりも簡単に行うことができる。請求項２、５の発明によると、ある地域に位置する携帯端末の高精度な位置検索を従来よりも簡単に行うことができる。請求項３の発明によると、ある携帯端末の近くにある第二の携帯端末の高精度な位置検索を従来よりも簡単に行うことができる。
【発明を実施するための最良の形態】
【００１２】
図１は通信システムＴＦＳの全体的な構成の例を示す図、図２はベースステーション３の構成の例を示す図、図３は提供範囲ＲＹの例を示す図、図４は「Ｂ＃８」の地域ＥＲおよびその周辺のベースステーション３の設置の状態の例を示す図、図５は携帯端末４の構成の例を示す図、図６は位置検索サーバ１の構成の例を示す図、図７はベースステーションリスト７１の例を示す図、図８は近傍ベースステーションリスト７２の例を示す図、図９は位置検索サーバ１の機能的構成の例を示す図である。
【００１３】
図１に示すように、通信システムＴＦＳは、位置検索サーバ１、検索者端末２、複数のベースステーション３、複数の携帯端末４、通信回線５、および各種の上位装置などによって構成される。
【００１４】
通信システムＴＦＳのユーザには１人ずつ携帯端末４が与えられている。この通信システムＴＦＳによると、複数のユーザ同士が自分の携帯端末４を使用することによって電話したり電子メールを交換したりすることができる。以下、ベースステーション３と携帯端末４との通信方式として、ＩＥＥＥ８０２．１１規格の無線ＬＡＮの通信方式が使用される場合を例に説明する。
【００１５】
通信回線５は、各ベースステーション３と各携帯端末４とを接続するための無線回線、位置検索サーバ１、検索者端末２、各ベースステーション３、および上位装置同士を接続するための有線回線、そのほか種々の回線によって構成される。通信回線５におけるプロトコルとして、ＴＣＰ／ＩＰが用いられる。そのほか、ＶｏＩＰなど、ＩＰ電話のためのプログラムが用いられる。
【００１６】
ベースステーション３は、無線基地局装置であって、携帯端末４の接続を制御する処理およびその携帯端末４と上位装置との通信を中継する処理などを行う無線局である。「基地局」または「ＢＳ」などと呼ばれることもある。
【００１７】
ベースステーション３は、図２に示すように、全体制御部３０１、有線通信制御部３０２、無線通信制御部３０３、入出力制御部３０４、およびプログラム等記憶部３０５などによって構成される。
【００１８】
有線通信制御部３０２は、有線回線を介して位置検索サーバ１および検索者端末２などの他の装置と通信を行うための制御を行う。無線通信制御部３０３は、そのベースステーション３自身の近傍に位置する携帯端末４などと無線回線を介して通信を行うための制御を行う。
【００１９】
入出力制御部３０４は、ユーザからの処理の要求を受け付けたり全体制御部３０１による処理の結果を出力したりするための制御を行う。
【００２０】
プログラム等記憶部３０５には、ベースステーション３の各部を制御するためのプログラムおよびデータ、処理の結果を示すデータ、およびそのベースステーション３自身の属性を示すデータ（装置ＩＤ、後述するベースステーションＩＤ、ＭＡＣアドレス、ＩＰアドレス、設定情報に関するデータ）などが記憶されている。
【００２１】
全体制御部３０１は、プログラム等記憶部３０５に記憶されているプログラムを実行することによって、ベースステーション３の各部の全体的な制御を行う、ＣＰＵまたはＭＰＵなどである。
【００２２】
これらのベースステーション３は、それぞれ異なる位置に設置されている。これらのベースステーション３が発信する電波の届く範囲によって、通信システムＴＦＳによる通信のサービスの提供範囲が決定する。
【００２３】
この提供範囲は、複数の地域に分割されている。したがって、ベースステーション３は、いずれかの地域に所属する。以下、図３に示すように、提供範囲ＲＹが１５個の地域ＥＲに分割されている場合を例に、説明する。１５個の地域ＥＲには、それぞれ、「Ｂ＃１」、「Ｂ＃２」、…、「Ｂ＃１５」というユニークな地域ＩＤが付けられている。また、地域ＩＤが「Ｂ＃８」である地域ＥＲおよびその周辺には、図４のようにベースステーション３が設置されている。
【００２４】
通信システムＴＦＳにはｍ台のベースステーション３が設けられており、各ベースステーション３には、それぞれ、「Ｐ＃１」、「Ｐ＃２」、…、「Ｐ＃ｍ」というユニークなベースステーションＩＤが与えられている。ベースステーション３として、既存の無線ＬＡＮ用のベースステーションを用いることができる。
【００２５】
図１に戻って、携帯端末４は、無線通信のサービスの提供を受けるユーザが使用する、携帯型の端末装置である。「移動端末」または「ＭＳ（Mobile Station）」などと呼ばれることもある。
【００２６】
各携帯端末４には、それぞれに、「Ａ＃１」、「Ａ＃２」、…、「Ａ＃ｎ」というユニークな携帯端末ＩＤが与えられている。
【００２７】
携帯端末４は、図５に示すように、全体制御部４０１、無線通信制御部４０２、入出力制御部４０３、近傍ベースステーション記憶部４０４、およびプログラム等記憶部４０５などによって構成される。
【００２８】
無線通信制御部４０２は、その携帯端末４自身の近傍に位置するベースステーション３などと無線回線を介して通信を行うための制御を行う。
【００２９】
入出力制御部４０３は、ユーザからの処理の要求を受け付けたり全体制御部４０１による処理の結果を出力したりするための制御を行う。
【００３０】
近傍ベースステーション記憶部４０４は、その携帯端末４自身の近傍に設置されているベースステーション３の一覧である個別ベースステーションリスト８Ａを記憶する。
【００３１】
プログラム等記憶部４０５は、携帯端末４の各部を制御するためのプログラムおよびデータ、処理の結果を示すデータ、およびその携帯端末４自身の属性を示すデータ（その携帯端末４の携帯端末ＩＤ、ＭＡＣアドレス、ＩＰアドレス、設定情報に関するデータ）などが記憶されている。特に、本実施形態に係る携帯端末４のプログラム等記憶部３０５には、後に説明する近傍ベースステーション報告処理を実現するためのプログラムおよびデータが記憶されている。
【００３２】
全体制御部４０１は、プログラム等記憶部４０５に記憶されているプログラムを実行することによって、携帯端末４の各部の全体的な制御を行う、ＣＰＵまたはＭＰＵなどである。
【００３３】
携帯端末４は、既存の無線ＬＡＮ対応の端末装置（無線ＬＡＮ端末）に、近傍ベースステーション報告処理のためのプログラムなどをインストールすることによって、構築することができる。
【００３４】
図１に戻って、位置検索サーバ１は、携帯端末４の現在の場所を検索する処理および所定の地域に現在位置する携帯端末４を検索する処理を行う。
【００３５】
位置検索サーバ１は、図６に示すように、全体制御部１０１、通信制御部１０２、入出力制御部１０３、ベースステーションリスト記憶部１０４、携帯端末リスト記憶部１０５、およびプログラム等記憶部１０６などによって構成される。
【００３６】
通信制御部１０２は、有線回線を介して検索者端末２またはベースステーション３などの他の装置と通信を行うための制御を行う。
【００３７】
入出力制御部１０３は、ユーザからの処理の要求を受け付けたり、全体制御部１０１による処理の結果を表示するなどして出力したりするための制御を行う。
【００３８】
ベースステーションリスト記憶部１０４は、図７のようなベースステーションリスト７１を記憶する。ベースステーションリスト７１には、各地域ＥＲにどのベースステーション３が設置されているのが示されている。具体的には、ベースステーション３ごとに、そのベースステーション３が設置されている地域ＥＲの地域ＩＤとそのベースステーション３のベースステーションＩＤとが対応付けられて示されている。
【００３９】
携帯端末リスト記憶部１０５は、図８のような近傍ベースステーションリスト７２を記憶する。
【００４０】
近傍ベースステーションリスト７２には、各携帯端末４の現在の位置の近傍に設置されているベースステーション３が示されている。具体的には、携帯端末４の携帯端末ＩＤとその携帯端末４の近傍に設置されているベースステーション３のベースステーションＩＤとが対応付けられて示されている。
【００４１】
ベースステーションリスト７１は、通信システムＴＦＳの運用を開始する前に予め用意される。そして、ベースステーションリスト７１の内容は、ベースステーション３が新たに設置され、既存のベースステーション３の設置場所が変更され、またはベースステーション３が廃止されるごとに、適宜更新される。
【００４２】
一方、近傍ベースステーションリスト７２の内容は、携帯端末４を携帯しているユーザが移動しまたはベースステーション３から発信される電波の状況が変化することによって、適宜変化する。近傍ベースステーションリスト７２の内容は、後に説明するリスト更新処理部１２１（図９参照）によって更新される。
【００４３】
プログラム等記憶部１０６には、位置検索サーバ１の各部を制御するためのプログラムおよびデータ、処理の結果を示すデータ、および位置検索サーバ１自身の属性を示すデータ（装置ＩＤ、ＭＡＣアドレス、ＩＰアドレス、設定情報に関するデータ）などが記憶されている。さらに、プログラム等記憶部１０６には、図９に示すリスト更新処理部１２１、携帯端末地域判別部１２２、および特定地域端末検索部１２３などの機能を実現するためのプログラムおよびデータ（以下、「検索用ソフトウェア」と記載する。）が記憶されている。
【００４４】
位置検索サーバ１は、既存のサーバ機またはワークステーションにベースステーションリスト７１および検索用ソフトウェアなどをインストールすることによって、構築することができる。
【００４５】
検索者端末２は、携帯端末４の現在の場所を検索する処理または所定の地域に現在位置する携帯端末４を検索する処理を実行するようにユーザが位置検索サーバ１に対して指令を与えるために用いられる。
【００４６】
検索者端末２は、既存のパーソナルコンピュータ、ＰＤＡ（Personal Digital Assistant）、または携帯電話端末などに、指令用のソフトウェアをインストールすることによって、構築することができる。
【００４７】
上位装置は、伝送装置、無線基地局制御装置、ルータ、ＩＰ電話サーバ、および電子メールサーバなどである。携帯端末４は、これらのベースステーション３および上位装置などを介して、他の携帯端末４、携帯電話端末、いわゆる固定電話の電話機、またはパーソナルコンピュータなどと通信を行うことができる。さらに、インターネット上のＷｅｂサーバまたは電子メールサーバなどと通信を行うことができる。
【００４８】
次に、図６および図９に示す位置検索サーバ１の各部、図５に示す携帯端末４の各部、および検索者端末２における処理の詳細な内容を、近傍ベースステーションリスト７２の更新のための処理、携帯端末４の現在の場所の検索のための処理、および所定の地域に現在位置する携帯端末４の検索のための処理に大別し、かつ、シーケンス図などを参照しながら、説明する。
【００４９】
〔近傍ベースステーションリスト７２の更新のための処理〕
図１０は近傍ベースステーションリスト７２の更新の処理の流れの例を説明するシーケンス図である。
【００５０】
図１０において、携帯端末４の無線通信制御部４０２（図５参照）は、次のような手順で、近傍ベースステーション報告処理を実行する（丸数字１、２）。
【００５１】
新たに電波を検知するとその発信元であるベースステーション３のベースステーションＩＤを個別ベースステーションリスト８Ａに追加し、今まで検知していた電波を検知できなくなるとその発信元であるベースステーション３のベースステーションＩＤを個別ベースステーションリスト８Ａから削除する（丸数字１）。
【００５２】
所定のタイミングで個別ベースステーションリスト８Ａを位置検索サーバ１に宛てて送信する（丸数字２）。例えば、個別ベースステーションリスト８Ａを更新するごとに送信する。または、所定の時間ごとに送信する。図１０の例では、「Ａ＃ｉ」という携帯端末ＩＤを有する携帯端末４が、「Ｐ＃１２」、「Ｐ＃１３」、「Ｐ＃１５」、および「Ｐ＃１６」というベースステーションＩＤをそれぞれ有する４台のベースステーション３の電波を現在検知している場合を示している。
【００５３】
位置検索サーバ１において、通信制御部１０２（図６参照）が個別ベースステーションリスト８Ａを受信すると（丸数字３）、リスト更新処理部１２１（図９参照）は、携帯端末リスト記憶部１０５に記憶されている近傍ベースステーションリスト７２の状況に応じて、個別ベースステーションリスト８Ａの内容を近傍ベースステーションリスト７２に登録する処理を、次のように行う（丸数字４）。
【００５４】
送信元である携帯端末４の携帯端末ＩＤ（図１０の例では「Ａ＃ｉ」）に対応付けられているベースステーションＩＤが未だ近傍ベースステーションリスト７２に登録されていない場合は、その個別ベースステーションリスト８Ａに示される各ベースステーションＩＤとその携帯端末ＩＤとを対応付けて、近傍ベースステーションリスト７２に追加する。
【００５５】
一方、その携帯端末４の携帯端末ＩＤに対応付けられているベースステーションＩＤが近傍ベースステーションリスト７２に既に登録されている場合は、その携帯端末ＩＤとそれらのベースステーションＩＤのうちのいずれかとを示す各データ（行）を近傍ベースステーションリスト７２から削除する。そして、個別ベースステーションリスト８Ａに示される各ベースステーションＩＤとその携帯端末ＩＤとを対応付けて、近傍ベースステーションリスト７２に新たに追加する。
【００５６】
〔携帯端末４の現在の場所の検索のための処理〕
図１１は携帯端末４の位置を検索する処理の流れの例を説明するシーケンス図、図１２は携帯端末４の位置を検索する際のデータ処理の例を示す図である。
【００５７】
図１１において、ある携帯端末４の現在の場所を知りたいと思ったユーザは、検索者端末２を操作することによって、その携帯端末４を検索すべき旨の指令を入力する。すると、検索者端末２は、その携帯端末４の携帯端末ＩＤおよび検索の指令を示す検索指令データ８Ｂを位置検索サーバ１に宛てて送信する（丸数字１）。
【００５８】
位置検索サーバ１において、検索指令データ８Ｂが受信されると（丸数字２）、携帯端末地域判別部１２２（図９参照）は、携帯端末リスト記憶部１０５に記憶されている近傍ベースステーションリスト７２およびベースステーションリスト記憶部１０４に記憶されているベースステーションリスト７１に基づいて、その検索指令データ８Ｂに示される携帯端末ＩＤに係る携帯端末４の現在の場所を、次のように検索する。
【００５９】
その近傍ベースステーションリスト７２から、その携帯端末４に対応付けられているベースステーションＩＤを抽出する（丸数字３）。つまり、その携帯端末４が現在受信している電波の発信元であるベースステーション３のベースステーションＩＤを抽出する。
【００６０】
ベースステーションリスト７１に基づいて、抽出した各ベースステーションＩＤに係るベースステーション３が設置されている地域ＥＲの地域ＩＤをチェックする（丸数字４）。
【００６１】
地域ＩＤごとに、丸数字４のステップにおいてチェックしたベースステーションＩＤの個数をカウントする（丸数字５）。つまり、その携帯端末４が現在受信している電波の発信元であるベースステーション３の台数を、地域ＥＲごとにカウントする。
【００６２】
そして、携帯端末地域判別部１２２は、カウントしたベースステーションＩＤの個数が所定の数以上である地域ＥＲを、その携帯端末４が現在位置している場所である、と判別する（丸数字６）。所定の数は定数であってもよいし、丸数字２のステップで抽出したベースステーションＩＤの総数のうちの所定の割合に相当する数であってもよい。
【００６３】
通信制御部１０２は、上記のような処理によって検索（判別）された結果に係る地域ＩＤおよびカウント数を示す携帯端末位置検索データ８Ｃを、指令元である検索者端末２に宛てて送信する（丸数字７）。
【００６４】
検索者端末２は、位置検索サーバ１から携帯端末位置検索データ８Ｃを受信すると（丸数字８）、それに基づいて、検索対象の携帯端末４の現在の場所をディスプレイに表示しまたはスピーカから音声によって出力するなどして、ユーザに提示する（丸数字９）。
【００６５】
なお、上記の検索の処理は、図１２に示すような、リレーショナルデータベースにおける公知の抽出方法によって、行うことができる。
【００６６】
図１１の例の丸数字６のステップでは、カウントしたベースステーションＩＤの個数が所定の数以上である地域ＥＲを、検索対象の携帯端末４が現在位置している場所である、と判別したが、個数が最も多い地域ＥＲを、検索対象の携帯端末４が現在位置している場所である、と判別してもよい。
【００６７】
〔所定の地域に現在位置する携帯端末４の検索のための処理〕
図１３は地域ＥＲ内の携帯端末４を検索する処理の流れの例を説明するシーケンス図、図１４は地域ＥＲ内の携帯端末４を検索する際のデータ処理の例を示す図である。
【００６８】
図１３において、ある地域ＥＲに現在ある携帯端末４を知りたいと思ったユーザは、検索者端末２を操作することによって、その地域ＥＲに現在位置する携帯端末４を検索すべき旨の指令を入力する。すると、検索者端末２は、その地域ＥＲの地域ＩＤおよび検索の指令を示す検索指令データ８Ｄを位置検索サーバ１に宛てて送信する（丸数字１）。
【００６９】
位置検索サーバ１において、検索指令データ８Ｄが受信されると（丸数字２）、特定地域端末検索部１２３（図９参照）は、携帯端末リスト記憶部１０５に記憶されている近傍ベースステーションリスト７２およびベースステーションリスト記憶部１０４に記憶されているベースステーションリスト７１に基づいて、その検索指令データ８Ｄに示される地域ＩＤの地域ＥＲに現在位置する携帯端末４を、次のように検索する。
【００７０】
そのベースステーションリスト７１から、その地域ＥＲに対応するベースステーションＩＤを抽出する（丸数字３）。つまり、その地域ＥＲに設置されているベースステーション３のベースステーションＩＤを抽出する。
【００７１】
近傍ベースステーションリスト７２に基づいて、抽出したベースステーションＩＤごとに、それに対応付けられている携帯端末ＩＤをすべてチェックする（丸数字４）。つまり、抽出したベースステーションＩＤのベースステーション３ごとに、そのベースステーション３が発信する電波の届く範囲内に現在位置する携帯端末４の携帯端末ＩＤをチェックする。
【００７２】
携帯端末ＩＤごとに、丸数字４のステップにおいてチェックされた回数をカウントする（丸数字５）。
【００７３】
そして、特定地域端末検索部１２３は、カウントした値が所定の数以上である携帯端末ＩＤの携帯端末４がその地域ＥＲに現在位置する、と判別する（丸数字６）。
【００７４】
通信制御部１０２は、上記のような処理によって検索（判別）された結果に係る携帯端末ＩＤ）を示す特定地域端末検索データ８Ｅを、指令元である検索者端末２に宛てて送信する（丸数字７）。
【００７５】
検索者端末２は、位置検索サーバ１から特定地域端末検索データ８Ｅを受信すると（丸数字８）、それに基づいて、検索された携帯端末４の一覧をディスプレイに表示しまたはスピーカから音声によって出力するなどして、ユーザに提示する（丸数字９）。
【００７６】
なお、上記の検索の処理は、図１４に示すような、リレーショナルデータベースにおける公知の抽出方法によって、行うことができる。
【００７７】
図１５は位置検索サーバ１の全体的な処理の流れの例を説明するフローチャートである。
【００７８】
次に、位置検索サーバ１の全体的な処理の流れを、図１５のフローチャートを参照しながら説明する。
【００７９】
位置検索サーバ１は、検索のサービスを提供している間、他の装置から送信されてくるデータに応じて、以下のような処理を行う。
【００８０】
携帯端末４から個別ベースステーションリスト８Ａを受信した場合は（図１５のＳ２でＹｅｓ）、その個別ベースステーションリスト８Ａに基づいて、その携帯端末４が現在受信している電波を発信するベースステーション３のベースステーションＩＤを示すように、近傍ベースステーションリスト７２を更新する（Ｓ３）。更新の方法は、前に図１０で説明した通りである。
【００８１】
検索指令データ８Ｂを受信した場合つまり特定の携帯端末４の現在地を検索すべき旨の指令を受け付けた場合は（Ｓ４でＹｅｓ）、その携帯端末４が現在位置する地域ＥＲを検索する（Ｓ５）。検索の方法は、前に図１１および図１２で説明した通りである。
【００８２】
検索指令データ８Ｄを受信した場合つまり特定の地域ＥＲに現在位置する携帯端末４を検索すべき旨の指令を受け付けた場合は（Ｓ６でＹｅｓ）、それらの携帯端末４を検索する（Ｓ５）。検索の方法は、前に図１３および図１４で説明した通りである。
【００８３】
本実施形態によると、携帯端末の高精度な位置検索を従来よりも簡単に行うことができる。また、特定の地域に位置する携帯端末を簡単に検索することができる。
【００８４】
この処理を実施し、特定の地域に位置する携帯端末をカウントすることにより、所定の地域、例えば、体育館、スタジアム、グラウンド、コンサートホール、避難所などの中に存在している人間の数を容易に知ることが可能となる。
【００８５】
図１６はベースステーション３の構成の変形例を示す図、図１７は近傍ベースステーションリスト７２の更新の処理の流れの変形例を説明するシーケンス図である。
【００８６】
本実施形態では、図１０で説明したように、互いに近傍にある携帯端末４とベースステーション３との関係を位置検索サーバ１に報告する処理を、携帯端末４が個別ベースステーションリスト８Ａを送信することによって行ったが、ベースステーション３が行うようにしてもよい。この場合は、図１６のように構成したベースステーション３を用意すればよい。そして、ベースステーション３および位置検索サーバ１は、図１７に示すような手順で処理を行えばよい。
【００８７】
図１６に示すように、ベースステーション３を、全体制御部３２１、有線通信制御部３２２、無線通信制御部３２３、入出力制御部３２４、近傍携帯端末記憶部３２５、およびプログラム等記憶部３２６などによって構成する。
【００８８】
有線通信制御部３２２ないし入出力制御部３２４は、図２で説明した有線通信制御部３０２ないし入出力制御部３０４と同様の役割を果たす。
【００８９】
近傍携帯端末記憶部３２５は、そのベースステーション３自身の近傍に現在存在する携帯端末４の携帯端末ＩＤおよびそのベースステーション３自信のベースステーションＩＤを示す検知携帯端末リスト８Ｆを記憶する。
【００９０】
プログラム等記憶部３２６には、図２のプログラム等記憶部３０５と同様に、ベースステーション３の各部を制御するためのプログラムおよびデータ、処理の結果を示すデータ、およびそのベースステーション３自身の属性を示すデータなどが記憶されている。さらに、プログラム等記憶部３２６には、そのベースステーション３自身に届いた、携帯端末４からの電波に基づいて、検知携帯端末リスト８Ｆを生成する処理、検知携帯端末リスト８Ｆを近傍携帯端末記憶部３２５に記憶させる処理、および検知携帯端末リスト８Ｆを位置検索サーバ１に送信する処理などを実行するためのソフトウェアが記憶されている。
【００９１】
全体制御部３２１は、プログラム等記憶部３２６に記憶されているプログラムを実行することによって、ベースステーション３の各部の全体的な制御を行う、ＣＰＵまたはＭＰＵなどである。
【００９２】
ベースステーション３および位置検索サーバ１は、図１７に示すような手順で処理を行う。
【００９３】
ベースステーション３は、新たに電波を検知するとその発信元である携帯端末４の携帯端末ＩＤを検知携帯端末リスト８Ｆに追加し、今まで検知していた電波を検知できなくなるとその発信元である携帯端末４の携帯端末ＩＤを検知携帯端末リスト８Ｆから削除する（丸数字１）。
【００９４】
所定のタイミングで検知携帯端末リスト８Ｆを位置検索サーバ１に宛てて送信する（丸数字２）。例えば、検知携帯端末リスト８Ｆを更新するごとに送信する。または、所定の時間ごとに送信する。
【００９５】
位置検索サーバ１は、検知携帯端末リスト８Ｆを受信すると（丸数字３）、現在の近傍ベースステーションリスト７２の状況に応じて、その検知携帯端末リスト８Ｆの内容を近傍ベースステーションリスト７２に登録する処理を次のように行う（丸数字４）。
【００９６】
送信元であるベースステーション３のベースステーションＩＤ（図１７の例では「Ｐ＃ｋ」）に対応付けられている携帯端末ＩＤが未だ近傍ベースステーションリスト７２に登録されていない場合は、その検知携帯端末リスト８Ｆに示される各携帯端末ＩＤとそのベースステーションＩＤとを対応付けて、近傍ベースステーションリスト７２に追加する。
【００９７】
一方、そのベースステーション３のベースステーションＩＤに対応付けられている携帯端末ＩＤが近傍ベースステーションリスト７２に既に登録されている場合は、そのベースステーションＩＤとそれらの携帯端末ＩＤのうちのいずれかとを示す各データ（行）を近傍ベースステーションリスト７２から削除する。そして、検知携帯端末リスト８Ｆに示される各携帯端末ＩＤとそのベースステーションＩＤとを対応付けて、近傍ベースステーションリスト７２に新たに追加する。
【００９８】
このようなベースステーション３を使用する場合は、携帯端末４として、近傍ベースステーション報告処理の機能を有しない、従来の無線ＬＡＮ端末を使用することができる。
【００９９】
本実施形態では、図３および図４に示したように、地域ＥＲ同士が重なり合わない場合を例に説明したが、地域ＥＲ同士が重なり合っても構わない。そうすると、１台のベースステーション３が複数の地域ＥＲに所属することがあるが、このような場合が生じても、通信システムＴＦＳをそのまま使用することができる。
【０１００】
本実施形態では、携帯端末４として無線ＬＡＮ端末を使用する場合を例に説明したが、携帯電話端末またはＰＨＳ端末などを使用する場合であっても、本発明を適用することができる。
【０１０１】
〔通信システムＴＦＳの具体的な適用例〕
図１８はアドレス帳データ７３の例を示す図、図１９は地域リストデータ７４の例を示す図、図２０は現在地検索画面ＨＧ１の例を示す図、図２１は地域内検索画面ＨＧ２の例を示す図、図２２は救援者検索画面ＨＧ３の例を示す図である。
【０１０２】
上に説明した通信システムＴＦＳは、様々な施設に適用することができる。以下、学校に通信システムＴＦＳを適用した場合について説明する。
【０１０３】
生徒および職員に、携帯端末４を１台ずつ与えておく。検索者端末２を、職員室に設置しておく。
【０１０４】
位置検索サーバ１および検索者端末２に、図１８に示すような、各携帯端末４の電話番号、電子メールアドレス、および所有者の氏名、区分（生徒であるか職員であるかの区分）、および所属などを示すアドレス帳データ７３と、図１９に示すような、各地域ＥＲの地域ＩＤおよび名称（地域名）などを示す地域リストデータ７４とを、インストールしておく。
【０１０５】
例えば、職員Ｔａは、ある生徒Ｐｂの行方を捜し、生徒Ｐｂの近くにいる職員に連絡を取って生徒Ｐｂの保護を依頼したい場合は、次のように通信システムＴＦＳを利用する。
【０１０６】
職員Ｔａは、検索者端末２に所定のコマンドを入力する。すると、検索者端末２は、図２０（ａ）の現在地検索画面ＨＧ１を表示させる。
【０１０７】
検索者端末２は、プルダウンボタンＢＮ１１がクリックされると、図１８のアドレス帳データ７３に基づいて各生徒の氏名および携帯端末４の携帯端末ＩＤを示すプルダウンリストを表示する。職員Ｔａは、プルダウンリストの中から生徒Ｐｂの氏名を見つけてクリックする。そして、検索ボタンＢＮ１２をクリックする。
【０１０８】
すると、検索者端末２は、生徒Ｐｂの携帯端末４の現在地を検索すべき旨の指令、つまり、生徒Ｐｂの携帯端末４の携帯端末ＩＤを示す検索指令データ８Ｂを、位置検索サーバ１に与える。
【０１０９】
位置検索サーバ１は、前に図１１および図１２で説明した方法によって、検索指令データ８Ｂに示される携帯端末ＩＤの携帯端末４が現在位置する地域ＥＲを検索し、その地域ＥＲの地域ＩＤおよびカウント数を示す携帯端末位置検索データ８Ｃを検索者端末２に送信する。
【０１１０】
検索者端末２は、受信した携帯端末位置検索データ８Ｃに示される地域ＩＤおよびカウント数を示しかつ各地域ＩＤに対応する地域ＥＲの地域名を示す現在地リストＬＴ１１を地域リストデータ７４に基づいて生成し、図２０（ｂ）のようにその現在地リストＬＴ１１を下方に配置した現在地検索画面ＨＧ１を表示し直す。
【０１１１】
職員Ｔａは、現在地リストＬＴ１１を参照することによって生徒Ｐｂの現在地を最終的に判断する。通常は、カウント数が最大である地域ＥＲに生徒Ｐｂがいると判断する。
【０１１２】
さらに、職員Ｔａは、生徒Ｐｂの近くの職員を探すために、生徒Ｐｂの現在の地域ＥＲにいる職員を次のように検索する。検索者端末２に所定のコマンドを入力する。すると、検索者端末２は、図２１（ａ）のような地域内検索画面ＨＧ２を表示する。
【０１１３】
職員Ｔａは、プルダウンボタンＢＮ２１をクリックする。すると、検索者端末２は、図１９の地域リストデータ７４に基づいて学校内の各地域ＥＲの地域名および地域ＩＤを示すプルダウンリストを表示する。職員Ｔａは、プルダウンリストの中から生徒Ｐｂの現在の地域ＥＲを見つけてクリックする。そして、検索ボタンＢＮ２２をクリックする。
【０１１４】
すると、検索者端末２は、ユーザが選択（クリック）した地域ＥＲの中の現在のメンバを検索すべき旨の指令、つまり、その地域ＥＲの地域ＩＤを示す検索指令データ８Ｄを、位置検索サーバ１に与える。
【０１１５】
位置検索サーバ１は、前に図１３および図１４で説明した方法によって、検索指令データ８Ｄに示される地域ＩＤの地域ＥＲの中に現在位置する携帯端末４を検索し、検索した携帯端末ＩＤを示す特定地域端末検索データ８Ｅを検索者端末２に送信する。
【０１１６】
検索者端末２は、受信した特定地域端末検索データ８Ｅに示される携帯端末ＩＤを示しかつ各携帯端末ＩＤに対応する携帯端末４の所有者の氏名、区分、および所属を示す地域内所在者リストＬＴ２１を図１８のアドレス帳データ７３に基づいて生成し、図２１（ｂ）のようにその地域内所在者リストＬＴ２１を下方に配置した地域内検索画面ＨＧ２を表示し直す。
【０１１７】
職員Ｔａは、地域内所在者リストＬＴ２１の中から生徒Ｐｂと同じ地域ＥＲにいる職員を探す。そして、その職員の携帯端末４に電話を掛けまたは電子メールを送信することによって、生徒Ｐｂを保護するように依頼する。
【０１１８】
図２３は救援者の検索の処理の流れの例を説明するシーケンス図、図２４は救援者を検索する際のデータ処理の例を示す図である。
【０１１９】
上記の例では、生徒が現在いる地域ＥＲの検索およびその地域ＥＲの中に現在いるメンバの検索を、２つの画面の操作によって行ったが、１つの画面の操作によって行えるように構成してもよい。例えば、救援を要請した生徒の近くにいる職員を１回の操作で検索できるようにするために、次のように通信システムＴＦＳを構成してもよい。
【０１２０】
例えば生徒Ｐｃから救援を求める連絡が職員室に届くと、職員Ｔａは、検索者端末２に所定のコマンドを入力する。すると、検索者端末２は、図２２（ａ）のような救援者検索画面ＨＧ３を表示する。職員ＴａがプルダウンボタンＢＮ２１をクリックすると、検索者端末２は、図１８のアドレス帳データ７３に基づいて各生徒の氏名および携帯端末４の携帯端末ＩＤを示すプルダウンリストを表示する。職員Ｔａは、プルダウンリストの中から生徒Ｐｃの氏名を見つけてクリックする。そして、検索ボタンＢＮ３２をクリックする。
【０１２１】
すると、検索者端末２および位置検索サーバ１は、図２３に示すような手順で、職員Ｔａの指令に応じるための処理を行う。
【０１２２】
図２３において、検索者端末２は、生徒Ｐｃの携帯端末４の携帯端末ＩＤおよび検索の指令を示す検索指令データ８Ｇを位置検索サーバ１に宛てて送信する（丸数字１）。
【０１２３】
位置検索サーバ１は、検索指令データ８Ｇを受信すると（丸数字２）、近傍ベースステーションリスト７２の中から、その検索指令データ８Ｇに示される携帯端末ＩＤに対応付けられているベースステーションＩＤを抽出する（丸数字３）。
【０１２４】
抽出した各ベースステーションＩＤに対応付けられている携帯端末ＩＤを、近傍ベースステーションリスト７２の中から抽出する（丸数字４）。抽出した携帯端末ＩＤの個数をカウントする（丸数字５）。ただし、ここでは、職員の検索という目的に鑑み、図１８のアドレス帳データ７３に基づいて職員の携帯端末４の携帯端末ＩＤの個数のみをカウントしてもよい。
【０１２５】
そして、位置検索サーバ１は、カウントした個数の多い順に所定の個数の携帯端末ＩＤを選出し、これらを、生徒Ｐｃの近くにいる職員の携帯端末４の携帯端末ＩＤである、と判別する（丸数字６）。
【０１２６】
検索者端末２は、位置検索サーバ１から同地域携帯端末検索データ８Ｈを受信すると（丸数字８）、それに基づいて救援者リストＬＴ３１を生成する。そして、図２２（ｂ）のようにその救援者リストＬＴ３１を下方に配置した救援者検索画面ＨＧ３を表示し直す。
【０１２７】
職員Ｔａは、救援者リストＬＴ３１を参照して、救援に向かわせる職員を決め、その職員の携帯端末４に電話を掛けまたは電子メールを送信することによって、生徒Ｐｃを救援するように依頼する。係る依頼の処理を検索者端末２が自動的に行うように構成してもよい。
【０１２８】
なお、上記の検索の処理は、図２４に示すような、リレーショナルデータベースにおける公知の抽出方法によって、行うことができる。
【０１２９】
生徒Ｐｃの最も近くにいる職員を探したい場合は、図２３の丸数字６のステップにおいて、カウントした個数が最も多い携帯端末ＩＤを選出すればよい。
【０１３０】
そのほか、図１１および図１２の方法によると、学級ごとに生徒の出欠を自動的に取得したり、所定の場所に集合している生徒の人数を自動的にカウントしたりすることができる。
【０１３１】
通信システムＴＦＳを、学校以外の施設に適用することもできる。例えば、遊園地、動物園、または博物館などに入場する子どもに１台ずつ携帯端末４を貸与し、施設の従業員にも携帯端末４を１台ずつ持たせておく。そうすれば、子どもが迷子になっても、近くにいる従業員がすぐに応対することができる。
【０１３２】
携帯端末４を検索者端末２として使用することもできる。この場合は、検索者端末２で使用したソフトウェアを、携帯端末４にインストールしておけばよい。
【０１３３】
〔地域ＥＲへのベースステーション３の登録方法〕
図２５はベースステーション登録端末６の構成の例を示す図、図２６はベースステーション３の登録の処理の流れの例を説明するシーケンス図、図２７は地域ＥＲおよびその周辺のベースステーション３の設置の状態の例を示す図、図２８はベースステーションリスト更新画面ＨＧ４の例を示す図である。
【０１３４】
上の実施形態では、ベースステーション３が設置されている地域ＥＲが予め分かっている場合を例に説明したが、既存のベースステーション３を用いて通信システムＴＦＳを新たに構築する場合は、これらのベースステーション３がどの地域ＥＲに所属することになるのかが分からないことがある。地域ＥＲを変更した場合も、その後、ベースステーション３がどの地域ＥＲに所属するのかが分からなくなることがある。
【０１３５】
これらの場合は、ベースステーション３がどの地域ＥＲに所属するのかを調査しなければならない。しかし、ベースステーション３の台数が多いと、すべてのベースステーション３を見つけ出すのは、調査員にとって面倒である。調査員が見逃してしまうこともある。地域ＥＲの形状が不定形でありまたは不規則であると、なおさら面倒である。
【０１３６】
そこで、図２５に示すようなベースステーション登録端末６を用意し、図２６に示すような手順で調査の処理が行われるようにすればよい。
【０１３７】
図２５において、ベースステーション登録端末６は、全体制御部６０１、無線通信制御部６０２、入出力制御部６０３、近傍ベースステーション記憶部６０４、およびプログラム等記憶部６０５などによって構成される。
【０１３８】
無線通信制御部６０２は、そのベースステーション登録端末６自身の近傍に位置するベースステーション３などと無線回線を介して通信を行うための制御を行う。
【０１３９】
入出力制御部６０３は、ユーザからの処理の要求を受け付けたり全体制御部６０１による処理の結果を出力したりするための制御を行う。
【０１４０】
近傍ベースステーション記憶部６０４は、そのベースステーション登録端末６自身の近傍に設置されているベースステーション３の一覧である近傍ベースステーションリスト８Ｊを記憶する。
【０１４１】
プログラム等記憶部６０５は、ベースステーション登録端末６の各部を制御するためのプログラムおよびデータ、処理の結果を示すデータ、およびそのベースステーション登録端末６自身の属性を示すデータなどが記憶されている。さらに、後に説明するベースステーション調査報告処理を実現するためのプログラムおよびデータが記憶されている。
【０１４２】
全体制御部６０１は、プログラム等記憶部６０５に記憶されているプログラムを実行することによって、ベースステーション登録端末６の各部の全体的な制御を行う、ＣＰＵまたはＭＰＵなどである。
【０１４３】
ベースステーション登録端末６および位置検索サーバ１は、図２６に示すような手順で処理を行う。
【０１４４】
調査員は、ベースステーション登録端末６を携帯して調査対象の地域ＥＲの中に入る。その地域ＥＲの調査の開始前に近傍ベースステーションリスト８Ｊをリセットしておく。そして、調査を開始し、その地域ＥＲの中を歩き回る。
【０１４５】
すると、図２６において、ベースステーション登録端末６は、次のようにベースステーション調査報告処理を行う。
【０１４６】
新たに検知した電波の発信元であるベースステーション３のベースステーションＩＤを近傍ベースステーションリスト８Ｊに順次書き込む（丸数字１）。調査員は、地域ＥＲの中を一通り歩き終えたら、所定のコマンドをベースステーション登録端末６に入力する。すると、ベースステーション登録端末６は、近傍ベースステーションリスト８Ｊをその地域ＥＲの地域ＩＤと対応付けて位置検索サーバ１に送信する（丸数字２）。
【０１４７】
位置検索サーバ１は、近傍ベースステーションリスト８Ｊを受信すると（丸数字３）、その近傍ベースステーションリスト８Ｊに示される各ベースステーションＩＤを調査対象の地域ＥＲの地域ＩＤと対応付けてベースステーションリスト７１に登録する（丸数字４）。
【０１４８】
ところで、この方法によると、図２７において１点鎖線で示すように、調査対象の地域ＥＲの実態よりも広い地域のベースステーション３を登録することになる。しかし、前に説明したように、地域ＥＲは他の地域ＥＲと重なっても構わないし、１台のベースステーション３が複数の地域ＥＲに所属しても構わないので、この方法で得られたベースステーションリスト７１を用いても、特定の携帯端末４の現在の位置の検索および特定の地域ＥＲの中にいる携帯端末４の検索を行うことができる。
【０１４９】
図２８に示すようなベースステーションリスト更新画面ＨＧ４を検索者端末２または携帯端末４などに用意しておき、新たに設置したベースステーション３を近傍ベースステーションリスト７２に追加しまたは廃止したベースステーション３を近傍ベースステーションリスト７２から削除する作業を通信システムＴＦＳの管理者が行うことができるようにしてもよい。
【０１５０】
その他、通信システムＴＦＳ、位置検索サーバ１、検索者端末２、ベースステーション３、携帯端末４、ベースステーション登録端末６の全体または各部の構成、処理内容、処理順序、テーブルの構成、画面の構成などは、本発明の趣旨に沿って適宜変更することができる。
【０１５１】
上に述べた実施例には、以下に述べるような付記も開示されている。
（付記１）
複数のベースステーションがそれぞれの所定の位置に設置されてなる無線通信システムにおける携帯端末の現在地を検索する携帯端末検索方法であって、
前記無線通信システムによる通信が可能な範囲に複数の地域を定義しておき、
自ら発信した電波を前記携帯端末に届けることができまたは前記携帯端末が発信した電波を受信することができる前記ベースステーションを検索し、
検索した前記各ベースステーションがいずれの前記地域に所属するかに基づいて前記携帯端末が位置する前記地域を判別する、
ことを特徴とする携帯端末検索方法。
（付記２）
複数のベースステーションがそれぞれの所定の位置に設置されてなる無線通信システムにおける、指定された場所に現在位置する携帯端末を検索する携帯端末検索方法であって、
前記無線通信システムによる通信が可能な範囲に複数の地域を定義しておき、
指定された前記地域に位置するいずれかの前記ベースステーションが発信した電波を検知することができまたは自ら発信した電波をいずれかの当該ベースステーションに届けることができる携帯端末を検索し、
その検索結果に基づいて、指定された前記地域に位置する携帯端末を判別する、
ことを特徴とする携帯端末検索方法。
（付記３）
複数のベースステーションがそれぞれの所定の位置に設置されてなる無線通信システムにおける第一の携帯端末の近くに位置する第二の携帯端末を検索する携帯端末検索方法であって、
自ら発信した電波を前記第一の携帯端末に届けることができまたは前記第一の携帯端末が発信した電波を受信することができる前記ベースステーションを検索し、
自ら発信した電波を、検索したいずれかの前記ベースステーションに届けることができまたはいずれかの当該ベースステーションが発信した電波を受信することができる携帯端末を検索し、
その検索結果に基づいて前記第二の携帯端末を判別する、
ことを特徴とする携帯端末検索方法。  
（付記４）
複数のベースステーションがそれぞれの所定の位置に設置されてなる無線通信システムで用いられる、携帯端末の現在地を検索する携帯端末検索システムであって、
前記無線通信システムによる通信が可能な範囲に設けられた複数の地域のうちのいずれに前記各ベースステーションが所属するのかを示すベースステーション所属データを記憶するベースステーション所属データ記憶手段と、
自ら発信した電波を前記携帯端末に届けることができまたは前記携帯端末が発信した電波を受信することができる前記ベースステーションを検索するベースステーション検索手段と、
前記ベースステーション検索手段によって検索された前記各ベースステーションがいずれの前記地域に所属するかに基づいて前記携帯端末が位置する前記地域を判別する携帯端末地域判別手段と、
を有することを特徴とする携帯端末検索システム。
（付記５）
前記携帯端末地域判別手段は、検索された前記ベースステーションが所定の台数以上所属する前記地域を、前記携帯端末が位置する前記地域であると判別する、
付記４記載の携帯端末検索システム。
（付記６）
前記携帯端末地域判別手段は、検索された前記ベースステーションが最も多く所属する前記地域を、前記携帯端末が位置する前記地域であると判別する、
付記４記載の携帯端末検索システム。
（付記７）
複数のベースステーションがそれぞれの所定の位置に設置されてなる無線通信システムで用いられる、指定された場所に現在位置する携帯端末を検索する携帯端末検索システムであって、
前記無線通信システムによる通信が可能な範囲に設けられた複数の地域のうちのいずれに前記各ベースステーションが所属するのかを示すベースステーション所属データを記憶するベースステーション所属データ記憶手段と、
指定された前記地域に位置するいずれかの前記ベースステーションが発信した電波を検知することができまたは自ら発信した電波をいずれかの当該ベースステーションに届けることができる携帯端末を検索する特定携帯端末検索手段と、
前記特定携帯端末検索手段による検索結果に基づいて、指定された前記地域に位置する携帯端末を判別する、携帯端末判別手段と、
を有することを特徴とする携帯端末検索システム。
（付記８）
前記携帯端末判別手段は、前記特定携帯端末検索手段によって検索された回数が所定の値以上である携帯端末を、指定された前記地域に位置する携帯端末であると判別する、
付記７記載の携帯端末検索システム。
（付記９）
複数のベースステーションがそれぞれの所定の位置に設置されてなる無線通信システムで用いられる、第一の携帯端末の近くに位置する第二の携帯端末を検索する携帯端末検索システムであって、
自ら発信した電波を前記第一の携帯端末に届けることができまたは前記第一の携帯端末が発信した電波を受信することができる前記ベースステーションを検索するベースステーション検索手段と、
自ら発信した電波を、前記ベースステーション検索手段によって検索されたいずれかの前記ベースステーションに届けることができまたはいずれかの当該ベースステーションが発信した電波を受信することができる携帯端末を検索する特定携帯端末検索手段と、
前記特定携帯端末検索手段による検索結果に基づいて前記第二の携帯端末を判別する携帯端末判別手段と、
を有することを特徴とする携帯端末検索システム。
（付記１０）
前記携帯端末判別手段は、前記特定携帯端末検索手段によって検索された回数が所定の値以上である携帯端末を、前記第二の携帯端末であると判別する、
付記９記載の携帯端末検索システム。
（付記１１）
前記携帯端末判別手段は、前記特定携帯端末検索手段によって検索された回数が最も多い携帯端末を、前記第二の携帯端末であると判別する、
付記９記載の携帯端末検索システム。
【図面の簡単な説明】
【０１５２】
【図１】通信システムの全体的な構成の例を示す図である。
【図２】ベースステーションの構成の例を示す図である。
【図３】提供範囲の例を示す図である。
【図４】「Ｂ＃８」の地域およびその周辺のベースステーションの設置の状態の例を示す図である。
【図５】携帯端末の構成の例を示す図である。
【図６】位置検索サーバの構成の例を示す図である。
【図７】ベースステーションリストの例を示す図である。
【図８】近傍ベースステーションリストの例を示す図である。
【図９】位置検索サーバの機能的構成の例を示す図である。
【図１０】近傍ベースステーションリストの更新の処理の流れの例を説明するシーケンス図である。
【図１１】携帯端末の位置を検索する処理の流れの例を説明するシーケンス図である。
【図１２】携帯端末の位置を検索する際のデータ処理の例を示す図である。
【図１３】地域内の携帯端末を検索する処理の流れの例を説明するシーケンス図である。
【図１４】地域内の携帯端末を検索する際のデータ処理の例を示す図である。
【図１５】位置検索サーバの全体的な処理の流れの例を説明するフローチャートである。
【図１６】ベースステーションの構成の変形例を示す図である。
【図１７】近傍ベースステーションリストの更新の処理の流れの変形例を説明するシーケンス図である。
【図１８】アドレス帳データの例を示す図である。
【図１９】地域リストデータの例を示す図である。
【図２０】現在地検索画面の例を示す図である。
【図２１】地域内検索画面の例を示す図である。
【図２２】救援者検索画面の例を示す図である。
【図２３】救援者の検索の処理の流れの例を説明するシーケンス図である。
【図２４】救援者を検索する際のデータ処理の例を示す図である。
【図２５】ベースステーション登録端末の構成の例を示す図である。
【図２６】ベースステーションの登録の処理の流れの例を説明するシーケンス図である。
【図２７】地域およびその周辺のベースステーションの設置の状態の例を示す図である。
【図２８】ベースステーションリスト更新画面の例を示す図である。
【符号の説明】
【０１５３】
ＴＦＳ  通信システム（携帯端末検索システム）
７１  ベースステーションリスト（ベースステーション所属データ）
１０４  ベースステーションリスト記憶部（ベースステーション所属データ記憶手段）
１２２  携帯端末地域判別部（ベースステーション検索手段、携帯端末地域判別手段）
１２３  特定地域端末検索部（特定携帯端末検索手段、携帯端末判別手段）
３  ベースステーション
４  携帯端末
ＥＲ  地域
ＲＹ  提供範囲
【図１】
2008078825.tif 000003
【図２】
2008078825.tif 000004
【図３】
2008078825.tif 000005
【図４】
2008078825.tif 000006
【図５】
2008078825.tif 000007
【図６】
2008078825.tif 000008
【図７】
2008078825.tif 000009
【図８】
2008078825.tif 000010
【図９】
2008078825.tif 000011
【図１０】
2008078825.tif 000012
【図１１】
2008078825.tif 000013
【図１２】
2008078825.tif 000014
【図１３】
2008078825.tif 000015
【図１４】
2008078825.tif 000016
【図１５】
2008078825.tif 000017
【図１６】
2008078825.tif 000018
【図１７】
2008078825.tif 000019
【図１８】
2008078825.tif 000020
【図１９】
2008078825.tif 000021
【図２０】
2008078825.tif 000022
【図２１】
2008078825.tif 000023
【図２２】
2008078825.tif 000024
【図２３】
2008078825.tif 000025
【図２４】
2008078825.tif 000026
【図２５】
2008078825.tif 000027
【図２６】
2008078825.tif 000028
【図２７】
2008078825.tif 000029
【図２８】
2008078825.tif 000030